(57)【要約】・インク容器（３）を備える本体（２）と、・本体（２）の一端に取り付けられたインク付け部材（１６）と、・供給装置（１９）と、  を有し、  供給装置は、  ・容器（３）をインク付け部材（１６）に接続しており、開口部（２９）によって容器（３）内へと開いており、内壁（２８）を有するダクトと、  ・ダクト内に入れられており、ヘッド（３１）から延びているタブ（３２）を有する弁（２２）と、  を有し、  弁（２２）は、ヘッド（３１）が、開口部（２９）を囲む肩状部（３０）に押し付けられる閉位置と、ヘッド（３１）が肩状部から離される開位置との間をスライドするように取り付けられた筆記具（１）。隙間がタブとダクトの内壁との間に形成され、タブはダクトから突き出ている。
2007522964.tif 000002
【特許請求の範囲】
【請求項１】
・インク容器（３）を備える本体（２）と、
・前記本体（２）に取り付けられたインク付け部材（１６）と、
・供給装置（１９）と、
を有し、
前記供給装置は、
・前記容器（３）を前記インク付け部材（１６）に接続しており、開口部（２９）によって前記容器（３）内へと開いており、内壁（２８）を有するダクト（２７）と、
・前記ダクト内に入れられており、ヘッド（３１）から延びているタブ（３２）を有する弁（２２）と、
を有し、
前記弁（２２）は、インクが流れるのを阻止するように前記ヘッド（３１）が、前記開口部（２９）を囲む肩状部（３０）に押し付けられる閉位置と、インクが前記開口部（２９）を通って流れることができるように前記ヘッド（３１）が少なくとも部分的に前記肩状部（３０）から離れて位置する開位置との間をスライドするように取り付けられている、筆記具（１）において、
隙間（３５）が前記タブ（３２）と前記ダクト（２７）の前記内壁（２８）との間に形成されていることと、前記タブ（３２）が前記ダクト（２７）から前記インク付け部材（１６）の方へ突き出ていることとを特徴とする筆記具（１）。
【請求項２】
前記弁（２２）は、疎水性材料から作られ、または疎水性材料で被覆されている、請求項１に記載の筆記具（１）。
【請求項３】
前記弁（２２）は、シリコーンから作られ、またはシリコーンで被覆されている、請求項２に記載の筆記具（１）。
【請求項４】
前記ダクト（２７）の断面が矩形であり、前記タブ（３２）は角錐形状である、請求項１から３のいずれか１項に記載の筆記具（１）。
【請求項５】
前記供給装置（１９）は、前記開口部（２９）が形成されたスリーブ（２０）を有し、該スリーブは、前記容器（３）のノズル（２１）に嵌められ、内部に前記弁（２２）が取り付けられている、請求項１から４のいずれか１項に記載の筆記具（１）。
【請求項６】
前記弁（２２）は、前記ヘッド（３１）の、前記タブ（３２）の近くの所に設けられた複数の貫通穴（３６）を備える、請求項１から５のいずれか１項に記載の筆記具（１）。
【請求項７】
前記貫通穴（３６）は、互いに平行な縁（３７，３８）を有する長穴の形態であり、前記弁（２２）は、前記本体（２）に対して静止した周辺部（３９）と、前記タブ（３２）を含む中央部（４０）と、を有し、該中央部（４０）は、前記各長穴（３６）の前記両縁（３７，３８）が互いに一致する閉位置と、前記インクが流れることができるように前記各長穴（３６）の前記両縁（３７，３８）が互いにずれる開位置との間を動くことができる、請求項６に記載の筆記具（１）。
【請求項８】
前記インク付け部材（１６）は前記タブ（３２）に連続的に接触している、請求項１から７のいずれか１項に記載の筆記具（１）。
【請求項９】
前記インク付け部材（１６）は、前記インク付け部材（１６）が前記弁（２２）をその開位置に向かって押して前記インクが流れることができるようにする筆記位置と、前記インク付け部材（１６）が、前記弁（２２）がその閉位置に位置することができるようにする休止位置との間を移動可能である、請求項１から８のいずれか１項に記載の筆記具（１）。
【請求項１０】
前記インク付け部材（１６）は、前記インク付け部材（１６）が前記弁（２２）をその開位置に向かって押して前記インクが流れることができるようにする筆記位置と、前記インク付け部材（１６）が、前記弁（２２）がその閉位置に位置することができるようにする休止位置との間を前記本体（２）に対してスライドするように取り付けられた支持体（１３）に取り付けられている、請求項９に記載の筆記具（１）。
【請求項１１】
前記支持体（１３）はその休止位置の方へ戻りばねによって押されている、請求項１０に記載の筆記具（１）。
【請求項１２】
前記戻りばねは、前記支持体（１３）と一体化され、前記本体（２）に対して静止した壁（２５）を押しているばねブレード（４２）を有する、請求項１１に記載の筆記具（１）。
【請求項１３】
前記本体（２）は、主軸線（Ｘ）に沿って延びており、前記インク付け部材（１６）は、前記主軸線（Ｘ）に直角な軸線（Ａ１）を中心として回転するように取り付けられたローラである、請求項１から１２のいずれか１項に記載の筆記具（１）。
【請求項１４】
前記インク付け部材（１６）は、中間の前記ローラの前記軸線（Ａ１）に平行な軸線（Ａ２）を中心として回転するように取り付けられ、筆記媒体に接触するのに適した筆記ローラ（１７）に外周で接触している、請求項１３に記載の筆記具（１）。
【請求項１５】
前記インク付けローラ（１６）の直径は前記筆記ローラ（１７）の直径より小さい、請求項１４に記載の筆記具（１）。
【発明の詳細な説明】
【技術分野】
【０００１】
本発明は筆記具に関する。
【背景技術】
【０００２】
特許文献１には、インク容器と、ローラと、容器をローラに接続する通路と、通路を閉じる閉位置と容器をローラに通じさせる開位置との間を動くように取り付けられた弁とを有する筆記具が開示されている。多孔部材がローラと弁との間の通路に配置されており、開位置の時にインクが容器から多孔部材の方へ流れることができるようにする働きをする穴が弁を貫通しており、多孔部材によってローラにインクが付けられる。
【特許文献１】特開平０７−２１４９６８号公報
【発明の開示】
【発明が解決しようとする課題】
【０００３】
この種の筆記具は、満足の行くものであるが、それにもかかわらず、いくつかの欠点を生じさせている。
【０００４】
まず、上述の特許文献１の図１および２で分かるように、ローラの一部が、インク流を通過させるように設けられた通路内に入れられている。ローラを自由に回転させるために、ローラと通路との間に隙間が必要であることが理解される。これによって、流動性が高過ぎるインクが、この隙間に浸入し、ローラと、ローラが押し付けられる支持体との間の接触ゾーンから溢れ、それが、汚れや染みにつながる恐れがある。
【０００５】
さらに、弁および／または多孔部材が、閉位置の時にも（この場合、インクはもはや流れなくなる）、あるいは開位置の時にも（この場合、筆記具が永続的な漏れを生じる）通路において動かなくなる場合があり、どちらの位置の場合も、筆記具の適切な動作が損なわれる。
【０００６】
本発明は、信頼性および筆記精度を向上させる筆記具を提案することによって上述の欠点を解消しようとするものである。
【課題を解決するための手段】
【０００７】
このために、本発明は、
・インク容器を備える本体と、
・本体に取り付けられたインク付け部材と、
・供給装置と、
を有し、供給装置は、
・容器をインク付け部材に接続しており、開口部によって容器内へと開いており、内壁を有するダクトと、
・ダクト内に入れられており、ヘッドから延びているタブを有する弁と、
を有し、
この弁は、インクが流れるのを阻止するようにヘッドが、前記の開口部を囲む肩状部に押し付けられる閉位置と、インクが前記の開口部を通って流れることができるようにヘッドが少なくとも部分的に肩状部から離れて位置する開位置との間をスライドするように取り付けられた筆記具において、
隙間がタブとダクトの内壁との間に形成されていることと、タブがダクトからインク付け部材の方へ突き出ていることを特徴とする筆記具を提供する。
【０００８】
この結果、インクは、毛管現象によって弁からインク付け部材上に流れる。
【０００９】
これによって、インクがインク付け部材から溢れる恐れが低減され、筆記精度が向上する。
【００１０】
さらに、弁とダクトとの間の隙間によって、弁がダクト内において動かなくなる恐れが低減され、筆記具の信頼性が向上する。
【００１１】
弁は、シリコーンのような疎水性材料から作られ、または疎水性材料で被覆されているのが好ましい。
【００１２】
さらに、ダクトは、断面が例えば矩形であり、一方、タブは角錐形状である。
【００１３】
一実施態様において、供給装置は、前記の開口部が形成され、容器のノズルに嵌められ、弁が内部に取り付けられたスリーブを有している。
【００１４】
弁は、ヘッドの、タブの近くの所に形成された複数の貫通穴を備えていてよい。
【００１５】
一実施態様において、貫通穴は、互いに平行な縁を有する長穴の形態であり、弁のタブは、本体に対して静止した周辺部と、タブを含む中央部とを有し、中央部は、各長穴の両縁が互いに一致する閉位置と、インクが流れることができるように、各長穴の両縁が互いにずれる開位置との間を動くことができる。
【００１６】
弁のタブに連続的に接触しているインク付け部材は、インクが流れることができるようにするためにインク付け部材が弁をその開位置に向かって押す筆記位置と、インク付け部材が、弁がその閉位置に位置することができるようにする休止位置との間を移動可能であるのが好ましい。
【００１７】
一例として、インク付け部材は、インク付け部材が弁をその開位置に向かって押してインクが流れることができるようにする筆記位置と、インク付け部材が、弁がその閉位置に位置することができるようにする休止位置との間を本体に対してスライドするように取り付けられた支持体に取り付けられている。
【００１８】
一実施態様において、支持体は、例えば、支持体と一体化され、本体に対して静止した壁を押しているばねブレードを有する戻りばねによって休止位置の方へ押されている。
【００１９】
筆記具の本体は主軸線に沿って延び、インク付け部材は、例えば、本体の主軸線に直角な軸線を中心として回転するように取り付けられたローラによって構成されている。
【００２０】
一実施態様において、インク付け部材は、中間のローラの軸線に平行な軸線を中心として回転するように取り付けられ、筆記媒体に接触するのに適した筆記ローラに外周で接触している。
【００２１】
中間ローラの直径が筆記ローラの直径より小さいのも好ましい。
【００２２】
本発明の他の目的および利点は、添付の図面を参照した以下の詳細な説明を考慮することによって明らかになる。
【発明を実施するための最良の形態】
【００２３】
図１から４は、主軸線Ｘに沿って延び、特に、容器３の一部が切り欠かれた図４で見ることができる液状のインク４を収容する容器３を備える本体２を有する筆記具１を示している。
【００２４】
図３から５で分かるように、容器３は、本体３の前部５と後部６との間に、本体２が組み立てられた時に（図２）容器３と前部５および後部６の表面が揃うように嵌め込まれる取外し可能で交換可能なカートリッジの形態である。
【００２５】
特に図４で分かるように、前部５は、それぞれが主軸線Ｘに平行に延びる溝１１を内面１０に有する互いに平行な２つのアーム８および９を有するフォークのような形になった前端部、すなわちフォーク状部７を、後部６から遠い側の端部に有している。
【００２６】
特にマーカーまたはオーバーライナーである筆記具１は、主軸線Ｘに実質的に平行に延びる２つの分岐部１４，１５を有し、これらの間に、両ローラとも円柱形であるインク付けローラ１６と筆記ローラ１７が回転可能に取り付けられた支持体１３を有する筆記装置１２も含んでいる。
【００２７】
インク付けローラ１６と筆記ローラ１７は、それぞれ、互いにほぼ平行であり、かつ主軸線Ｘに直角な第１および第２の軸線Ａ１とＡ２を中心として回転するように取り付けられている。
【００２８】
図５および６で分かるように、インク付けローラ１６の直径は筆記ローラ１７の直径より小さい。
【００２９】
各分岐部１４，１５は、主軸線Ｘに平行に延びる突き出たスプライン１８を有している。組み立てられると、筆記装置１２は本体２の前端部に取り付けられ、支持体１３はフォーク状部７に嵌められ、スプライン１８はそれに対応する溝１１内に入れられる。この溝は、後述の理由で筆記装置１２が軸方向に移動できるようにスプライン１８より長い。
【００３０】
筆記具１は、容器３に設けられたノズル２１に嵌るスリーブ２０と、スリーブ２０内に嵌る弁２２とを有する供給装置１９をさらに含んでいる。
【００３１】
スリーブ２０は、後端部２４の所で開口し、それによってノズル２１に嵌り、また、端壁２５によって後端部２４から離れた所で閉じられた中空で矩形のボディ２３を有している。
【００３２】
スリーブ２０は、端壁２５から、後端部２４から離れる方向に突き出た煙突状部２６も有している。矩形断面の貫通ダクト２７が煙突状部２６を貫通している。
【００３３】
ダクト２７は、内壁２８を有し、端壁２５の、容器３に面する面３０によって形成された肩状部によって囲まれた開口部２９によってダクト２７の容器側端部の所で開いている。
【００３４】
弁２２は、Ｔ字形横断面を有し、主軸線Ｘに直角に延び実質的に平坦な端部、すなわちヘッド３１を有し、ヘッド３１から主軸線Ｘに平行に突き出たタブ３２によって延長されており、タブ３２は、ヘッド３１から離れた所で端部３３で終わっている。
【００３５】
弁２２は、第１に、そのタブ３２がダクト２７内に入れられ、第２に、そのヘッド３１が端壁２５とノズル２１の前方の端部３４との間に嵌められてスリーブ２０内に嵌められている。
【００３６】
タブ３２とダクト２７の各断面は、後述するように、インク４が通って流れることができる隙間３５がタブ３２とダクト２７の間に残るように選択されている。
【００３７】
ダクト２７の断面は一定であるが、タブ３２は、図８および９で分かるように角錐台形状であり、タブ３２の、主軸線Ｘに直角な断面が、ヘッド３１との連結部からタブ３２の端部３３に向かって先細りになっており、その結果、隙間３５の幅が容器３から離れるにつれて大きくなっている。
【００３８】
タブ３２は、その端部３３の所で、インク付けローラ１６の（インク付けローラ１６の回転、すなわち軸線Ａ１に平行に測った）幅以下の幅Ｌになっている。
【００３９】
さらに、煙突状部２６とタブ３２のそれぞれの長さは、図８および９で分かるように、タブ３２が、その、容器３から離れた端部の所でダクト２７を越えて突き出るように選択されている。
【００４０】
弁２２は、ヘッド３１の、タブ３２の近くで、かつタブ３２の両側の所に形成された貫通穴３６も備えている。
【００４１】
図７から９に示されている実施形態では、これらの穴３６は、互いに平行な縁３７，３８を有する長穴の形態である。
【００４２】
これらの長穴３６は、弁２２に、第１に、ヘッド３１の、複数の長穴３６の周りに位置する区域によって形成された周辺部３９を形成し、第２に、複数の長穴３６の間に位置しタブ３２を含む中央部４０を形成している。
【００４３】
弁２２は、
・各長穴３６の両縁３７，３８が互いに一致し、ヘッド３１の、タブ３２の近くに位置する部分が肩状部３０に押し付けられる閉位置（図８）と、
・長穴３６の両縁３７，３８が互いにずれ、中央部４０が容器３の内側の方へ押され、ヘッド３１の、タブ３２の近くに位置する部分が、肩状部３０から離れて間隔を置かれる開位置（図９）と、
の間を主軸線Ｘに沿って動くことができる。
【００４４】
弁２２がどんな位置でも、端壁２５とノズル２１の端部３４との間に挟まれた周辺部３９は、本体２に対して静止している。したがって、弁２２は、弾性的に変形することによってその閉位置からその開位置に、またその逆に移る。
【００４５】
その結果、弁２２の中央部４０は、弁２２を構成する材料の弾性によって弁２２の閉位置に向かって連続的に付勢されている。
【００４６】
弁２２は、後述の理由で疎水性材料から作られ、または疎水性材料で被覆されている。第１の実施形態において、弁２２は、ポリプロピレンのようなプラスチック材料またはエラストマから作られ、シリコーンによって覆われたコアを有しており、シリコーンの疎水性はよく知られている。第２の実施形態において、弁２２は全体をシリコーンから作られている。
【００４７】
図５で分かるように、筆記装置１２も供給装置１９に隣接しており、インク付けローラ１６が周面４１によってタブ３２に接触している。
【００４８】
より厳密に言えば、筆記装置１２は、
・ユーザが筆記具１を筆記媒体（不図示）に押し付けた時に筆記装置１２が位置する位置であり、その位置の時にインク付けローラ１６が弁２２をその開位置の方へ押している、図９に模式的に示されている筆記位置と、
・インク付けローラ１６が、弁２２がその閉位置に位置することができるようにしている、図５および８に示されている休止位置と、
の間を本体２に対してスライドするように取り付けられている。
【００４９】
筆記装置１２は、各分岐部１４，１５の後端４３から片持ち梁状に形成され、煙突状部２６の両側で端壁２５を連続的に押しているばね対のブレード４２の形態の戻りばねによって筆記装置１２の休止位置の方へ連続的に押されている。
【００５０】
筆記装置１２が（図５に示されているように）休止位置にあるとき、弁２２は本来の閉位置にあり、インク４が容器からインク付けローラ１６の方へ流れるのを阻止するようにダクト２７を閉じている。
【００５１】
しかし、筆記装置１２が筆記位置にある時には、容器３に向かって奥に移動したインク付けローラ１６によって弁２２が開かれ、その結果、インク４は、両縁３７，３８が互いに離された長穴３６を通過し、その後、開口部２９およびダクト２７を通過して、容器３からインク付けローラ１６の方へ流れることができる。
【００５２】
弁２２の被覆が疎水性にされ、また、隙間３５が広げられていることによって、インク４は、ダクト２７の内壁２８から分離し、毛管現象によってタブ３２の側面に接して流れ（図９）、その後、筆記ローラ１７と周面同士で連続的に接触し、軸線Ａ１を中心として筆記ローラ１７と逆方向に同調して回転するインク付けローラ１６の表面、すなわち周面４１に付けられる。
【００５３】
さらに、タブ３２がダクト２７を越えて突き出ているため、インク付けローラ１６はタブ３２の端部にのみ接触し、したがって、インク４の広がりが、端部３３が介在する所の近くに制限される。これによって、過度の量のインクがインク付けローラ１６上に流れてインク４が煙突状部２６上に溢れる恐れが最小限に抑えられる。この恐れは、特に、上述のように、タブ３２の、端部３３の所の幅がインク付けローラ１６の幅より小さいことによって制限される。これによって、インク４は、インク付けローラ１６上に非常に正確に広がる結果になる。
【００５４】
インク付けローラ１６の回転によって、インク４をインク付けローラ１６の周面４１上に一様に広げることができ、かつ筆記ローラ１７と、回転しながら接触することによって、インク４を周面４１に一様に移すことができる。
【００５５】
供給装置１９と筆記ローラ１７との間でインク４の中間支持体を構成するインク付けローラ１６を設けることによって、インク４が溢れる恐れを制限する働きが得られる。さらに、インク付けローラ１６の直径が筆記ローラ１７の直径より小さいため、インクをインク付けローラ１６から筆記ローラ１７に一様に流し、それによって、両ローラ、すなわちインク付けローラ１６と筆記ローラ１７の回転時にインクが射出される（すなわち、はねる）恐れを最小限に抑えることができる。
【図面の簡単な説明】
【００５６】
【図１】キャップによって閉じられた、本発明の筆記具の斜視図である。
【図２】キャップ無しの、図１の筆記具の図である。
【図３】前の図の筆記具の一部を示す斜視図である。
【図４】図２の筆記具を示す部分切欠き分解斜視図である。
【図５】図２の筆記具を示す部分側断面図である。
【図６】図４の筆記具の細部を示す分解斜視図である。
【図７】図４に示されている筆記具用の弁の平面図である。
【図８】弁が閉位置にある状態の筆記具を示す詳細側断面図である。
【図９】弁が開位置にある、図８と同様の図である。
【図１】
2007522964.tif 000003
【図２】
2007522964.tif 000004
【図３】
2007522964.tif 000005
【図４】
2007522964.tif 000006
【図５】
2007522964.tif 000007
【図６】
2007522964.tif 000008
【図７】
2007522964.tif 000009
【図８】
2007522964.tif 000010
【図９】
2007522964.tif 000011
【国際調査報告】
2007522964.tif 000012
2007522964.tif 000013
2007522964.tif 000014
2007522964.tif 000015
2007522964.tif 000016
2007522964.tif 000017